(57)【要約】  【課題】  被写体を撮影する撮影装置を提供する。  【解決手段】  被写体を撮影する撮影装置１００であって、被写体を撮影して画像情報を生成する撮影部１０４と、被写体を特定する特定情報と、画像情報とを対応付ける対応付部１１０とを備えることを特徴とする撮影装置１００を提供する。【選択図】  図３
2008199685.tif 000002
【特許請求の範囲】
【請求項１】
放送信号に基づいて所定の処理をする処理装置であって、
前記放送信号を受信する受信部と、
前記放送信号に含まれる映像信号を解析して、映像を表示する表示装置に映像を表示させる映像解析部と、
前記放送信号に含まれる文字情報に基づいて所定の処理をする文字情報解析部と、
前記放送信号を一定時間にわたり保持する一時保存部と
を備えることを特徴とする処理装置。
【請求項２】
該処理装置を利用する利用者からの指示を入力する入力部と、
放送信号を格納する格納部と
を更に備え、
前記一時保存部は、前記利用者に指示された場合に、前記表示装置に表示されている映像を生成するのに必要な前記放送信号を前記格納部に格納させることを特徴とする請求項１に記載の処理装置。
【発明の詳細な説明】
【技術分野】
【０００１】
本発明は、撮影装置及び情報付加装置に関する。特に本発明は、被写体を撮影する撮影装置及び情報を付加する装置に関する。
【背景技術】
【０００２】
撮影装置は、被写体を撮影して画像情報を生成する。放送信号の垂直帰線帰還に文字情報を付加し、画像情報と文字情報とを放送する放送システムがある。番組に関する番組内容や、電子番組情報などが、文字情報として放送信号に付加される。
【発明の開示】
【発明が解決しようとする課題】
【０００３】
放送信号に付加する文字情報は、番組の編集が終了した段階で付加されていた。
【０００４】
そこで本発明は、上記の課題を解決することのできる撮影装置及び情報付加装置を提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第一の形態は、被写体を撮影する撮影装置であって、被写体を撮影して画像情報を生成する撮影部と、被写体を特定する特定情報と、画像情報とを対応付ける対応付け部とを備えることを特徴とする撮影装置を提供する。
【０００６】
第一の発明の別の態様は、特定情報を受信する受信部を更に備え、対応付け部は、受信した特定情報と画像情報とを対応付けてよい。また、特定情報の発信を要求する発信要求信号を送信する発信要求信号送信部を更に備え、受信部は、発信要求信号に基づいて発信される特定情報を受信してもよい。また、撮影部の撮影範囲を検出する撮影範囲検出部を更に備え、発信要求信号送信部は、撮影範囲に応じて発信要求信号を発信する範囲を制限してよい。また、特定情報の発信源の位置を検出する検出部と、撮影部の撮影範囲を検出する撮影範囲検出部と、撮影範囲と発信源の位置とに基づいて、発信源が撮影範囲に含まれる特定情報を検出する被写体情報検出部とを更に備え、対応付け部は、撮影範囲に含まれる特定情報と画像情報とを対応付けてよい。また、特定情報に基づいて被写体に関連する情報を画像情報に付加する基本情報付加部を更に備えてよい。
【０００７】
本発明の第二の形態は、画像情報を含む放送信号に情報を付加する情報付加装置であって、放送信号に含まれる、画像情報に関連する基本情報に基づいて、基本情報に対応付けられた詳細情報を付加する詳細情報付加部を備えることを特徴とする情報付加装置を提供する。
【０００８】
第二の発明の別の態様は、放送信号に広告情報を付加する広告付加部を更に備えてよい。また、放送信号に付加した詳細情報の容量を検出する容量検出部を更に備え、広告付加部は、詳細情報の容量に基づいて広告情報を付加してよい。
【０００９】
本発明の第三の形態は所定の情報を発信する情報発信装置であって、該情報発信装置を特定する特定情報を格納する特定情報格納部と、特定情報を送信する特定情報送信部とを備えることを特徴とする情報発信装置を提供する。
【００１０】
第三の発明の別の態様は、特定情報の送信を要求する発信要求信号を受信する発信要求信号受信部を更に備え、発信要求信号を受信した場合に、特定情報送信部は特定情報を送信してよい。また、特定情報格納部に格納された情報を選択する送信情報選択部を更に備え、発信要求信号に基づいて、特定情報格納部に格納された特定情報を選択してよい。
【００１１】
本発明の第四の形態は、放送信号に基づいて所定の処理をする処理装置であって、放送信号を受信する受信部と、放送信号に含まれる映像信号を解析して、映像を表示する表示装置に映像を表示させる映像解析部と、放送信号に含まれる文字情報に基づいて所定の処理をする文字情報解析部と、放送信号を一定時間にわたり保持する一時保存部とを備えることを特徴とする処理装置を提供する。
【００１２】
第四の発明の別の態様は、該処理装置を利用する利用者からの指示を入力する入力部と、放送信号を格納する格納部とを更に備え、一時保存部は、利用者に指示された場合に、表示装置に表示されている映像を生成するのに必要な放送信号を格納部に格納させてよい。
【００１３】
本発明の第五の形態は、情報を記録する記録装置であって、画像情報を記録する第一記憶媒体と、画像情報に対応付けられた付加情報を記録する第二記憶媒体とを備えることを特徴とする記録装置を提供する。
【００１４】
本発明の第６の形態は、複数の静止画を所定のタイミングで切り替えることで動画像を表示させる放送信号に基づいて所定の処理をする放送システムであって、静止画に含まれる被写体を特定する特定情報を静止画に対応付けた放送信号を送信する送信部と、放送信号を受信して、特定情報に基づいて動画像と、被写体に関連する情報を表示する処理装置とを備えることを特徴とする放送システムを提供する。
【００１５】
なお上記の発明の概要は、本発明の必要な特徴の全てを列挙したものではなく、これらの特徴群のサブコンビネーションも又発明となりうる。
【発明の効果】
【００１６】
上記説明から明らかなように、本発明によれば画像情報に、画像に含まれる被写体に関連する情報を付加することができる。
【発明を実施するための最良の形態】
【００１７】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
図１は、放送システム５００の一実施形態における機能ブロック図である。放送システム５００は、撮影装置１００、情報付加部１５０、送信部１４、受信部１６、処理装置３００、インターネット２２及びサーバ１８を備える。撮影装置１００は、被写体１０の映像情報に被写体１０に関連する被写体基本情報１２を対応付ける。情報付加部１５０は、画像情報に対応付けられた被写体基本情報１２に基づいて、画像情報に更に所定の情報を付加する。送信部１４は、所定の情報の付加された画像情報を送信する。例えば、送信部１４は画像情報を変調して電波として送信してもよい。例えば、送信部１４は、送信先を定めずに放送電波２０として放送してもよい。送信部１４は、画像情報を放送する場合、画像情報をＭＰＥＧなどにより圧縮して送信するデジタル放送であっても、画像情報を周波数変調して送信するアナログ放送であってもよい。また、送信部１４は、人工衛星に電波を送信して、受信した人工衛星が放送電波２０を送信する衛星放送であってもよい。また、送信部１４は、ケーブル放送用の放送信号として送信してもよい。
【００１８】
受信部１６は、放送電波２０を受信する。また、受信部１６は、受信した放送電波２０を変調して画像情報に変換する。例えば、受信部１６はチューナーであってよい。処理装置３００は、所定の情報の付加された画像情報に基づいて処理をする。例えば、所定の処理は、映像を表示する処理、映像を保存する処理であってよい。例えば、処理装置３００は、テレビジョンやビデオであってよい。更に、画像情報に付加された所定の情報を表示する処理、画像情報に付加された所定の情報に基づいて映像を保存する処理であってもよい。更には、画像情報に付加された付加情報に基づいて、インターネット２２を介してサーバ１８に格納された情報を取得してもよい。また、サーバ１８に情報を送信してもよい。
【００１９】
例えば、所定の情報は、番組名、番組内容、出演者情報、広告情報であってよい。処理装置３００に映像を保存する処理をさせる場合、利用者は、予め処理装置３００に出演者を登録し、登録した出演者が出演する映像を保存させることができる。従って、利用者は、番組名、番組内容、出演者などのキーワードを予め登録することで、処理装置３００に予め登録されたキーワードを含む画像情報が供給された場合に、所定の処理をおこなわせることができる。また、広告に興味を持った場合、インターネット２２に設けられたサーバ１８からその広告内容に関する詳細な情報を取得することができる。例えば、商品の広告の場合、その商品を購入できてもよい。
【００２０】
図２は、複数の被写体１０と撮影装置１００の機能ブロック図の一例である。撮影装置１００は、特定情報受信部１０２、撮影部１０４、発信要求信号送信部１０８を備える。被写体１０は、情報発信装置２００を備える。撮影部１０４は、撮影範囲Ａ−Ａ'に含まれる被写体１０を撮影する。発信要求信号送信部１０８は、発信要求信号送信範囲Ｂ−Ｂ'に、特定情報１１を発信することを情報発信装置２００に要求する発信要求信号を発信する。例えば、発信要求信号送信部１０８は、指向性のある電波を送信できる送信装置であってよい。例えば、発信要求信号送信部１０８は、撮影範囲Ａ−Ａ'とほぼ同一の範囲に発信要求信号を発信する。
【００２１】
情報発信装置２００は、発信要求信号を受信すると特定情報１１を発信する。例えば、特定情報１１は、撮影範囲Ａ−Ａ'に含まれる被写体１０を特定する情報である。例えば、撮影範囲Ａ−Ａ'において、被写体を特定する情報である。例えば、特定情報１１は、数字列、文字列、数字と文字の組み合わせなどにより被写体１０を特定する情報であってよい。特定情報受信部１０２は、情報発信装置２００から発信された特定情報１１を受信する。例えば、特定情報受信部１０２は指向性の無い受信装置であってもよい。例えば、特定情報受信部１０２は、指向性のある受信装置であってもよく、撮影範囲Ａ−Ａ'とほぼ同一の範囲の特定情報１１を受信できることが好ましい。
【００２２】
従って、特定情報１１を付加したい被写体１０に情報発信装置２００を備えることで、撮影装置１００は、撮影部１０４により撮影された被写体１０の画像情報と、特定情報受信部１０２により受信された特定情報１１とを対応付けることができる。
【００２３】
図３は、撮影装置１００の機能ブロック図と情報発信装置２００の一例である。撮影装置１００は、特定情報受信部１０２、撮影部１０４、撮影範囲検出部１０６、発信要求信号送信部１０８、対応付部１１０、基本情報付加部１１２、記録部１１４及び出力部１１５を備える。撮影部１０４は、被写体を撮影して画像情報を対応付部１１０に出力する。例えば、図示しないが、撮影部１０４は撮像素子、レンズ及び撮像素子の受光面に被写体の像ができるようにレンズの焦点を調整する焦点調整部を有する。例えば、焦点調整部はレンズの撮像素子に対する位置を移動させて、撮像素子の受光面に被写体の像ができるように焦点を調整する。
【００２４】
撮影範囲検出部１０６は、撮影部１０４の撮影範囲を検出して、検出した撮影範囲を発信要求信号送信部１０８に出力する。例えば、撮影範囲検出部１０６は、焦点調整部におけるレンズの位置に基づいて撮影範囲を検出してもよい。例えば、撮影範囲検出部１０６は、予め保持する撮影範囲を発信要求信号送信部１０８に出力してもよい。例えば、撮影範囲検出部１０６は、複数の撮影範囲を予め保持してもよい。
【００２５】
発信要求信号送信部１０８は、撮影範囲検出部１０６から供給される撮影範囲に基づいて、特定情報１１を発信することを情報発信装置２００に要求する発信要求信号１３を発信する。例えば、発信要求信号送信部１０８は、撮影範囲と同一の範囲に発信要求信号１３を発信する。例えば、発信要求信号送信部１０８は、撮影範囲より広い範囲に発信要求信号１３を発信する。例えば、発信要求信号１３は撮影範囲より狭い範囲に発信要求信号１３を発信する。例えば、発信要求信号１３を発信する範囲は、任意に設定できてよい。例えば、静止している被写体を撮影する場合、発信要求信号送信部１０８は、撮影範囲とほぼ同一の範囲に発信要求信号１３を発信してもよい。例えば、動いている被写体を撮影する場合、発信要求信号送信部１０８は、撮影範囲より広い範囲に発信要求信号１３を発信してもよい。
【００２６】
特定情報受信部１０２は、発信要求信号１３を受信した情報発信装置２００から発信される特定情報１１を受信する。また、特定情報受信部１０２は、受信した特定情報１１を対応付部１１０に出力する。例えば、特定情報受信部１０２は、指向性の無い受信装置であってよい。
【００２７】
対応付部１１０は、撮影部１０４から供給される画像情報と、特定情報受信部１０２から供給される特定情報１１とを対応付ける。例えば、撮影装置が所定の時間内に複数回、被写体を撮影して動画にするビデオカメラの場合、１コマずつ特定情報１１を対応付けてもよい。例えば、撮影装置が静止画を撮影するカメラの場合、静止画ごとに特定情報１１を対応付けてもよい。
【００２８】
基本情報付加部１１２は、特定情報１１に基づいて被写体１０の基本情報を付加する。例えば、基本情報付加部１１２は、特定情報１１と対応付けて基本情報を保持し、対応付部１１０から供給される特定情報１１を検出し、検出した特定情報１１に対応付けられた基本情報を付加する。例えば、基本情報付加部１１２は、基本情報を画像情報の垂直帰遷期間に付加し、記録部１１４または出力部１１５に出力してもよい。例えば、基本情報付加部１１２は、画像情報と画像情報の１コマずつに対応付けた基本情報を別々に記録部１１４または出力部１１５に出力してもよい。例えば、基本情報は、撮影範囲Ａ−Ａ'以外において被写体１０を特定する情報であってよい。例えば、基本情報は、被写体１０を特定する一般的な情報である。例えば、基本情報は、被写体１０の名称、氏名であってよい。例えば、被写体１０が人物である場合、基本情報付加部１１２は、特定情報１１に対応付けられた人物の氏名を基本情報として付加する。例えば、被写体１０が商品である場合、基本情報付加部１１２は、特定情報１１に対応付けられた商品の名称を基本情報として付加する。基本情報付加部１１２は、基本情報の付加された画像情報を記録部１１４または出力部１１５に出力する。
【００２９】
記録部１１４は、基本情報付加部１１２から供給される画像情報と基本情報とを記録する。例えば、記録部１１４は、磁気テープにより情報を記録する磁気テープ５０に画像情報または基本情報を記録する。例えば、記録部１１４は、ＤＶＤ５２、ＣＤ−Ｒ、ＣＤ−ＲＷなどの光磁気記憶媒体に画像情報または基本情報を記録する。例えば、記録部１１４は、メモリカード５４などの半導体記憶媒体に画像情報または基本情報を記録する。
【００３０】
例えば、画像情報と基本情報とが別々に基本情報付加部１１２から供給される場合、記録部１１４は画像情報と基本情報とを別々に記録してもよい。例えば、記録部１１４は画像情報を磁気テープ５０などの記憶容量の大きい記憶媒体に記録し、基本情報をメモリカードなどの半導体記憶媒体に記録してもよい。
【００３１】
出力部１１５は、基本情報付加部１１２から供給される画像情報と基本情報とを情報付加部１５０に出力する。また、出力部１１５は、記録部１１４に格納されている画像情報と基本情報とを情報付加部１５０に出力する。従って、撮影装置１００は、撮影範囲Ａ−Ａ'に含まれる被写体１０の情報を映像に対応付けることができる。
【００３２】
図４は、対応付部１１０における、画像情報と特定情報１１とを対応付ける処理を示す。対応付部１１０は、画像情報１２０に含まれる画像（１２０ａ、１２０ｂ、１２０ｃ及び１２０ｄ）ごとに特定情報（１２２ａ、１２２ｂ、１２２ｃ及び１２２ｄ）を対応付ける。例えば、画像１２０ａに含まれる被写体は、特定情報としてそれぞれ「Ａ」、「Ｂ」、及び「Ｃ」を発信する情報発信装置２００を有する。発信要求信号送信部１０８が発信要求信号を送信すると、それぞれの被写体が有する情報発信装置２００が、それぞれ特定情報１２２ａ「Ａ」、「Ｂ」、及び「Ｃ」を発信する。特定情報受信部１０２は、特定情報１２２ａ「Ａ」、「Ｂ」、及び「Ｃ」を受信し、対応付部１１０に出力する。対応付部１１０は、特定情報１２２ａと映像信号を対応付ける。
【００３３】
例えば、画像情報１２０ｂは、特定情報１２２ｂとして「Ｅ」を発信する情報発信装置２００をサッカーボールに備えた場合を示す。例えば、画像情報１２０ｃは、特定情報１２２ｃとして「Ｆ」を発信する情報発信装置２００を車に備えた場合を示す。例えば、画像情報１２０ｄは、特定情報１２２ｄとして「Ｇ」、「Ｈ」、及び「Ｉ」を発信する情報発信装置２００をそれぞれ、「テーブル」、「コーヒーカップ」及び「地球儀」に備えた場合を示す。情報発信装置２００は、人物以外の物体に備えてもよい。例えば、商品となる物体に情報発信装置２００を備えることで、商品を販売する情報を付加することができる。例えば、特定情報１２２に基づいて、商品の詳細な説明や、購入店舗の紹介を基本情報として付加することができる。
【００３４】
また、処理装置３００に利用者からの指示を入力する入力装置を設けることにより、利用者は画像中に含まれる好みの商品を選択し、商品を購入できるようなシステムを構築することができる。このシステムを構築することで、例えば、利用者は、テレビ番組中で欲しいと思った物品を購入する事ができる。例えば、番組提供会社は、テレビ番組自体を一つのコマーシャルとして放送することができる。
【００３５】
また、特定情報１２２は、画像ごとに対応付けられるので、画像の編集をした場合でも画像と特定情報１２２とは対応付けられたままである。従って、ドラマなどにおいても、シーンごとに誰が出演しているかを基本情報として付加することが出来る。
【００３６】
図５は、基本情報付加部１１２の機能ブロック図の一例である。基本情報付加部１１２は、付加部１１６及び基本情報データベース１１８を備える。基本情報データベース１１８は、特定情報１１と特定情報１１に対応付けられた基本情報とを格納する。例えば、基本情報は、情報発信装置２００を設けた被写体の分類、特定情報１１に対応付けられた出演者名、商品名、商店名、出演者を特定する出演者特定情報、商品を特定する商品特定情報、商店を特定する商店特定情報などの被写体を識別するための情報である。例えば、被写体を識別する情報は、図２を用いて説明した撮影範囲Ａ−Ａ'以外の範囲で被写体を識別する情報である。例えば、出演者特定番号は、出演者に固有に対応付けられたＩＤであってよい。例えば、商品特定情報は、商品に固有に対応付けられたＩＤであってよい。例えば、商店特定情報は、商店に固有に対応付けられたＩＤであってよい。
【００３７】
基本情報データベース１１８は、情報発信装置２００を被写体に設けるごとに作成することが好ましい。例えば、基本情報データベース１１８は、撮影する内容ごとに作成されることが好ましい。例えば、基本情報データベース１１８は、撮影するドラマごとに作成されることが好ましい。例えば、基本情報データベース１１８は撮影する番組ごとに作成されることが好ましい。
【００３８】
付加部１１６は、対応付部１１０から供給される映像信号と対応付けられた特定情報１１に基づいて、基本情報データベース１１８から基本情報を取得して映像信号に付加する。従って、付加部１１６は映像信号に付加された特定情報１１に対応付けられた基本情報を、映像信号に付加することができる。付加部１１６は、基本情報を付加した映像信号を記録部１１４に出力する。付加部１１６は、映像信号と、画像ごとに対応付けた基本情報とを別々に記録部１１４に出力してもよい。また、基本情報を垂直同期帰遷期間に付加してもよい。
【００３９】
図６は、基本情報データベース１１８のデータ構造の一例である。基本情報データベース１１８は、ＩＤ１７０、分類１７１及び名称１７２を有する。ＩＤ１７０は、情報発信装置２００から発信される特定情報１１を保持する。例えば、図４を用いて説明した「Ａ」、「Ｂ」、「Ｃ」などの特定情報を保持する。分類１７１は、情報発信装置２００が設けられた被写体の分類を指定する情報を保持する。名称１７２は、被写体の名称を保持する。ＩＤ１７０が保持する特定情報は、撮影装置１００の撮影範囲内において個々の被写体を特定する情報である。名称１７２が保持する名称は、図５を用いて説明した基本情報であって、撮影装置１００の撮影範囲外においても、個々の被写体を特定できる情報である。例えば、画面に映し出される物品、出演者の服などを取り扱う業者の情報を付加することができる。従って、利用者は画面に自分の欲しい物品が合った場合に、欲しいと思った物品の詳細な情報を取得し、更には購入することもできる。従って、コマーシャルをかねたドラマまたは放送番組を、放送番組提供者は制作することができる。
【００４０】
例えば、基本情報データベース１１８は、ドラマごとに作成される。例えば、ドラマ撮影者は、ドラマに出演する出演者に対応付けられた特定情報１１を発信する情報発信装置２００を出演者に渡し、出演者はドラマ撮影中は常に情報発信装置２００を身につける。出演者が情報発信装置２００を身につけた状態で、出演者が撮影装置１００により撮影された場合には、常に画像情報と出演者名の情報を対応付けて記録することができる。例えば、出演者の衣装や、出演者が使う家具、家電、車などの物品に対応付けられた特定情報１１を発信する情報発信装置２００を物品に備えることにより、物品が撮影装置１００により撮影された場合には、常に画像情報と物品の情報を対応付けて記録することができる。これにより、例えば、利用者が、出演者の衣装を購入したいと思った場合でも、出演者の衣装についての情報や、購入方法などを利用者に提供することができる。
【００４１】
図７は、情報付加部１５０の機能ブロック図の一例である。情報付加部１５０は、詳細情報付加部１５２、番組情報データベース１５４、詳細情報データベース１５６、容量検出部１５８、広告付加部１６０及び広告データベース１６２を備える。詳細情報付加部１５２は、撮影装置１００から供給される基本情報の付加された画像情報に基づいて、基本情報に対応付けられた番組情報、または詳細情報を番組情報データベース１５４、並びに詳細情報データベース１５６から読み込んで画像信号に付加する。番組情報データベース１５４は、番組に関連する番組情報を格納する。例えば、番組情報データベース１５４は、番組の制作者、広告主、番組内容、出演者、過去の放送記録、撮影場所などの番組に関連する情報を格納する。
【００４２】
詳細情報データベース１５６は、基本情報に対応付けられた詳細情報を格納する。例えば、詳細情報データベース１５６は、出演者の過去の出演作品、プロフィール、出演者のコメントなどの出演者に関する詳細情報を格納する。例えば、詳細情報データベース１５６は、商品の紹介、購入方法などの商品に関する詳細情報を格納する。詳細情報付加部１５２は、詳細情報の付加された画像情報を容量検出部１５８に出力する。従って、詳細情報付加部１５２は、画像情報に対応付けられた基本情報に基づいて、基本情報に対応付けられた詳細情報を付加して、容量検出部１５８に出力することができる。他の形態において、番組情報データベース１５４及び詳細情報データベース１５６は、特定情報に対応付けられた番組情報及び詳細情報を有し、特定情報に基づいて番組情報及び詳細情報を付加してもよい。
【００４３】
容量検出部１５８は、画像情報に付加されている基本情報及び詳細情報の容量を検出する。容量検出部１５８は、画像情報に付加することができる情報容量と、画像情報に付加されている基本情報及び詳細情報とに基づいて、画像情報に付加できる空き容量を検出する。例えば、画像情報に付加することが出来る情報容量は、予め詳細情報付加部１５２に格納されていてもよい。例えば、付加情報を垂直帰遷期間に付加する場合、画像情報に付加することが出来る情報容量は、垂直帰遷期間内に付加することができる情報容量である。例えば、デジタル放送においては、通信速度により決まる最大伝送容量から画像を生成するのに用いる映像情報を除いて残った容量である。
【００４４】
広告付加部１６０は、容量検出部１５８から供給される空き容量に基づいて、広告データベース１６２から広告情報を読み込んで画像情報に付加する。例えば、広告付加部１６０は、画像情報に付加された番組情報または詳細情報に基づいて広告情報を選択してもよい。例えば、広告付加部１６０は、番組情報の内容に基づいて広告情報を選択してもよい。例えば、番組情報に料理番組であることを示唆する情報が含まれている場合、広告付加部１６０は、広告データベース１６２から料理に関連する広告情報を選択する。例えば、広告付加部１６０は、番組情報に含まれる文字を検出して、検出した文字に関連する広告情報を選択してよい。従って、広告付加部１６０は、番組の内容にあわせた広告情報を選択することができる。また、空き容量に基づいて広告付加部１６０は広告情報を付加するので、情報付加部１５０は、画像情報に付加することができる情報容量を効率的に使うことが出来る。広告付加部１６０は、番組情報、詳細情報または広告情報の付加された画像情報を送信部１４に出力する。
【００４５】
図８は、広告データベース１６２のデータ構造の一例である。広告データベース１６２は、分類１７４、名称１７５及び簡易ファイル１７６を有する。分類１７４は、広告情報の分類を指定する情報を保持する。名称１７５は、広告情報で広告される品目の名称を特定する情報を保持する。簡易ファイル１７６は、広告情報のファイルの格納場所を特定する情報を保持する。例えば、広告情報のファイルは、簡単な商品説明と、詳細情報の格納場所を特定する情報を有する。広告付加部１６０は、簡易ファイル１７６に保持された情報で特定される広告情報を読み込んで、画像情報に付加する。また、広告付加部１６０は、番組情報に含まれる文字に関連する広告情報を、分類１７４または名称１７５に保持される情報に基づいて広告データベース１６２から選択する。
【００４６】
図９は、図３を用いて説明した情報発信装置２００の一実施形態における機能ブロック図である。情報発信装置２００は、発信要求信号受信部２０２、送信情報選択部２０４、特定情報送信部２０６及び特定情報格納部２０８を備える。発信要求信号受信部２０２は、発信要求信号送信部１０８から供給される発信要求信号を受信する。発信要求信号受信部２０２は、発信要求信号を受信すると送信情報選択部２０４に特定情報を発信することを要求する。送信情報選択部２０４は、情報発信装置２００を特定する特定情報を特定情報格納部２０８から読み込んで、特定情報送信部２０６に出力する。特定情報送信部２０６は、特定情報を特定情報受信部１０２に出力する。例えば、特定情報格納部２０８は、情報発信装置２００を備える物の商品名、出演者名などの基本情報を格納してもよい。例えば、特定情報格納部２０８は、情報発信装置２００を設ける物に関連する情報を格納してもよい。従って、情報発信装置２００は撮影装置１００から供給される発信要求信号を受信すると、情報発信装置２００を特定する特定情報を発信することができる。従って、撮影装置１００は、この特定情報を、画像信号に対応付けるので、送信部１４は、画面に表示された被写体と連動して基本情報を送信することができる。基本情報は画面に表示される被写体と連動しているので、この基本情報を受信した処理装置３００は、所定の処理を画面の被写体に合わせてリアルタイムな処理ができる。
【００４７】
図１０は、処理装置３００の一実施形態における機能ブロック図である。処理装置３００は、情報分離部３０４、文字情報解析部３０６、映像解析部３０８、表示制御部３１０、表示部３１２、入力部３１４、一時保存部３１６及び格納部３１８を備える。情報分離部３０４は、受信部１６から供給される放送信号から、文字情報と映像情報とを分離して、文字情報を文字情報解析部３０６に出力し、映像情報を映像解析部３０８に出力する。また、情報分離部３０４は放送信号を一時保存部３１６に出力する。文字情報解析部３０６は、文字情報を解析して解析した結果を表示制御部３１０に出力する。例えば、文字情報解析部３０６は文字情報に含まれる文字に基づいて所定の処理をする。例えば、文字情報解析部３０６は、予め所定の文字を格納し、送信部１４から供給される文字情報に予め格納された文字が含まれている場合に所定の処理をする。例えば、予め格納された文字が、放送信号に含まれていることを利用者に通知する画面情報を表示制御部３１０に出力させてもよい。例えば、出演者名を予め登録することで、処理装置３００は、登録された出演者が画面に表示されていることを利用者に通知することができる。
【００４８】
映像解析部３０８は、映像情報を解析して表示制御部３１０に出力する。映像情報がＭＰＥＧなどの圧縮された映像情報の場合、映像解析部３０８はＭＰＥＧデコードして映像情報を表示制御部３１０に出力する。表示制御部３１０は、文字情報解析部３０６から供給される文字情報と、映像解析部３０８から供給される映像情報に基づいて表示情報を生成して表示部３１２に出力する。
【００４９】
入力部３１４は、利用者からの指示を入力して、利用者からの指示を表示制御部３１０または一時保存部３１６に出力する。例えば、利用者が文字情報を画面に表示することを指示した場合、入力部３１４は、文字情報を画面に表示することを表示制御部３１０に指示する。例えば、利用者が表示部３１２に表示されている画像を一時保存を指示する場合、入力部３１４は、表示部３１２に表示されている画像を表示させる放送信号を格納部３１８に格納させることを指定する。
【００５０】
一時保存部３１６は、情報分離部３０４から供給される放送信号を所定の期間保持する。例えば、所定の期間は、情報分離部３０４が放送信号を入力した時から、その放送信号に基づいて表示部３１２に画像が表示されるまでの期間である。従って、利用者が一時保存をすることを指示した場合に、表示部３１２に表示されている画像を生成するのに必要な情報を保持する放送信号を格納部３１８に格納させることができる。例えば、俳優が着ている服に興味を持った場合、利用者は、その画面を一時保存することを一時保存部３１６に指示する。利用者は、ドラマを見終えてから一時保存した画面を再度表示させ、俳優の着ていた服の情報を確認することができる。一時保存部３１６は、画面を表示させるのに必要な放送信号を格納部３１８に格納させるので、利用者は、番組の終了後に詳細情報をみることができる。確認後に、その服を購入を希望する場合、利用者は購入を指示する。通信部３１５は、インターネット２２を介してサーバ１８に接続し服の購入の手続きをする。処理装置３００は、一時保存部３１６及び格納部３１８を有するので、利用者は興味のある画面を一時保存させることで番組終了後に詳細な情報を取得することができる。
【００５１】
図１１は、文字情報解析部３０６の一実施形態におけるブロック図である。文字情報解析部３０６は、文字検出部３２０、判定部３２２、処理部３２４及び指示情報格納部３２６を有する。文字検出部３２０は情報分離部３０４から供給される文字情報に含まれる保持を検出して判定部３２２に出力する。例えば、文字検出部３２０は、文字情報を単語ごとに分解して判定部３２２に出力する。指示情報格納部３２６は、検出する文字列と文字列と対応付けられた処理とを格納する。判定部３２２は、指示情報格納部３２６に格納された文字列と、文字検出部３２０から供給される単語とを比較して一致した場合に、処理部３２４に所定の処理をさせる。例えば、利用者は、利用者の興味のある芸能人の氏名と、その芸能人の氏名を検出した場合の処理を指示情報格納部３２６に格納させる。例えば、芸能人の氏名を検出した場合に録画する処理を指定すると、予め登録した芸能人が出演している画面を録画することができる。例えば、文字情報解析部３０６は、予め格納した文字に関連する広告情報を録画することが出来る。たとえば、文字情報解析部３０６は、あらかじめ格納した文字に関連する広告情報を蓄積する処理を指定することが出来る。
【００５２】
図１２（ａ）は、格納部３１８に格納されている情報に基づいて、表示部３１２に表示させた画面の一例である。この画面は、格納画面３３８、出演者情報表示ボタン３２８、商品情報表示ボタン３５２、格納画面一覧表示ボタン３３０、前画面表示ボタン３３２、次画面表示ボタン３３４及び戻るボタン３３６を有する。格納画面３３８は、利用者に格納を指定された画面である。出演者情報表示ボタン３２８及び商品情報表示ボタン３５２は、図６を用いて説明した分類１７１に保持された情報に基づいて表示制御部３１０により生成される。格納画面一覧表示ボタン３３０は、格納部３１８に格納されている画面情報を一覧して表示させる処理と連動している。例えば、利用者が格納画面一覧表示ボタン３３０を指定することで、格納部３１８に格納されている画面情報が表示部３１２に一覧表示される。
【００５３】
出演者情報表示ボタン３２８は、格納画面３３８に対応付けられて付加されている情報のうち、出演者に関連する情報を表示させる処理と連動している。例えば、利用者が出演者情報表示ボタン３２８を指定することで、表示制御部３１０は、出演者の詳細情報を表示部３１２に表示させる。商品情報表示ボタン３５２は、格納画面３３８に対応付けられて付加されている情報のうち、商品に関連する情報を表示させる処理と連動している。例えば、利用者が商品情報表示ボタン３５２を指定することで、表示制御部３１０は、商品の詳細情報を表示部３１２に表示させる。
【００５４】
前画面表示ボタン３３２及び次画面表示ボタン３３４は、格納部３１８に格納されている画面情報を順次選択する処理と連動している。例えば、利用者が前画面表示ボタン３３２及び次画面表示ボタン３３４を指定することで、格納部３１８に格納されている画面情報を順次的に表示部３１２に表示させることができる。戻るボタン３３６は、格納部３１８に格納されている画面情報を表示部３１２に表示することを終了させる処理と連動している。例えば、利用者が、戻るボタン３３６を指定することで、処理装置３００は、格納部３１８に格納されている画面情報を表示部３１２に表示させる処理を終了する。
【００５５】
図１２（ｂ）は、商品情報を表示しているときの画面の一例である。この画面は、戻るボタン３４０、上方移動ボタン３４２、下方移動ボタン３４４、商品表示部３４６、詳細情報表示部３４８及び購入ボタン３５０を有する。戻るボタン３３６は、格納部３１８に格納されている画面情報を表示部３１２に表示することを終了させる処理と連動している。例えば、利用者が、戻るボタン３３６を指定することで、処理装置３００は、格納部３１８に格納されている画面情報を表示部３１２に表示させる処理を終了する。
【００５６】
商品表示部３４６は、格納画面３３８に付加されている商品に関する情報を表示する。例えば、商品表示部３４６は、商品の画像情報を表示する。詳細情報表示部３４８は、商品表示部３４６に表示された商品の詳細情報を表示する。上方移動ボタン３４２および下方移動ボタン３４４は、格納画面３３８に含まれる商品情報を順次選択する処理と連動している。例えば、利用者が上方移動ボタン３４２または下方移動ボタン３４４を指定することで、格納画面３３８に含まれる商品を順次的に商品表示部３４６に表示させることができる。購入ボタン３５０は、商品を購入する処理と連動している。例えば、利用者が購入ボタン３５０を指定することで、処理装置３００はインターネット２２を介してサーバ１８に商品の購入を要求する。従って、利用者は、画面に表示された商品を購入することができる。
【００５７】
従って、撮影装置１００は、画像情報と画像情報に含まれる被写体に関連する情報を対応付けることができる。画像情報に、情報を付加することができるので、画面に表示された物体の内、興味のある物体の詳細な情報を取得することができる。また、画像情報に含まれる被写体に関連する情報に基づいて、処理装置３００は所定の処理をすることができる。
【００５８】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。こうした変更例として以下のものがある。
【００５９】
第１の変更例として、図３を用いて説明した撮影装置１００が備える特定情報受信部１０２は、指向性のある受信装置であってよい。特定情報受信部１０２が指向性のある受信装置の場合、撮影範囲検出部１０６は、撮影範囲を特定情報受信部１０２に出力する。特定情報受信部１０２は、撮影範囲とほぼ同一の範囲の特定情報１１を受信する。従って、撮影範囲に含まれる被写体の特定情報１１を受信することができる。
【００６０】
第２の変更例として、画像情報に所定の映像を追加するテロップ装置（図示しない）が画像情報に特定情報を付加する付加部を有してもよい。テロップ装置は、画像情報に所定の映像を追加したときに、特定情報を画像情報に付加する対応付部１１０を有する。テロップ装置が特定情報を付加することで、例えば、複数の種類の情報を提供するニュース番組などにおいて、放送中のニュースの種類を特定する特定情報を放送信号に付加することができる。
【００６１】
第３の変更例として、図８を用いて説明した広告データベース１６２はアプリケーション、画像データ、音声データなどの情報を格納してもよい。広告付加部１６０は、広告データベース１６２に格納されたアプリケーション、画像データ、音声データなどの情報を読み込んで画像情報に付加してもよい。
【００６２】
第５の変更例として、情報発信装置２００は、特定情報格納部２０８に格納する情報を受信して、特定情報格納部２０８に格納させてもよい。従って、特定情報格納部２０８に任意に情報を格納させることができる。
【００６３】
第６の変更例として、撮影装置１００は、情報発信装置２００の位置と撮影範囲に基づいて画像情報と特定情報を対応付けてもよい。この変更例を実施する一実施形態を図１３に示す。図１３は、撮影装置４００の一実施形態における機能ブロック図と、被写体に備えられる情報発信装置２５０である。撮影装置４００は、撮影部１０４、撮影範囲検出部１０６、対応付部１１０、関連情報付加部１１２、記録部１１４、出力部１１５、受信部１３１、位置検出部１３０及び被写体情報検出部１３２を備える。図１３において、図３と同一の符号を付した機能ブロックは、図３を用いて説明した機能ブロックと同一の機能を有するので説明を省略する。
【００６４】
受信部１３１は、情報発信装置２５０から発信される特定情報を受信する。位置検出部１３０は、受信部１３１から供給される信号に基づいて情報発信装置２５０の位置を検出する。例えば、撮影装置４００は複数の受信部１３１を有し、位置検出部１３０は複数の受信部１３１から供給される信号に基づいて情報発信装置２５０の位置を検出してもよい。例えば、位置検出部１３０は、複数の受信部１３１で受信された、情報発信装置２５０から発信される特定情報の強度に基づいて情報発信装置２５０の位置を検出してもよい。被写体情報検出部１３２は、撮影範囲検出部１０６から供給される撮影範囲の情報と、位置検出部１３０から供給される情報発信装置２５０の位置に関する情報とに基づいて情報発信装置２５０が撮影範囲内にあるか否かを判定する。
【００６５】
例えば、位置検出部１３０と撮影範囲検出部１０６は同一のグローバル座標系を有し、被写体情報検出部１３２は、グローバル座標系における撮影部１０４の撮影範囲に情報発信装置２５０が含まれるか否かを判定する。被写体情報検出部１３２は、撮影範囲内にある情報発信装置２５０から発信される特定情報を対応付部１１０に出力する。従って、撮影装置４００は画像情報と、画像に含まれる被写体に関連する情報とを対応付けて記録部１１４に格納することができる。また、被写体情報検出部１３２は、撮影部１０４から出力される画像情報の画像座標系における情報発信装置２５０の位置を検出してもよい。対応付部１１０は、被写体情報検出部１３２から供給される、画像座標系における情報発信装置２５０の位置と画像情報を対応付ける。
【００６６】
画像座標系における情報発信装置２５０の位置を画像情報に対応付けることにより、処理装置３００は、利用者が、表示部３１２に表示された画面に含まれる商品を指定した場合に、指定された商品の情報を表示することができる。例えば、画像座標系の情報発信装置２５０の位置に基づいて、処理装置３００は、情報発信装置２５０が備えられた被写体を検出して、利用者が被写体を指定した場合に利用者に指定された被写体の情報を表示させる。例えば、画像座標系における情報発信装置２５０の位置を中心とする所定の範囲が利用者により指定された場合に、処理装置３００は商品の情報を表示する。例えば、画像座標系における情報発信装置２５０の位置に基づいて、画像情報における被写体のエッジを検出し、エッジで囲まれた範囲を利用者に指定された場合に被写体の情報を表示する。従って、画像座標系における情報発信装置２５０の位置を画像情報に対応付けることにより、処理装置３００は、利用者に指定された被写体の情報を表示することができる。
【００６７】
第７の変更例として、図３を用いて説明した記録部１１４は、画像情報を磁気記録媒体に記録し、付加情報を半導体記憶装置に記録させてもよい。図１４は、記録媒体の一実施形態における機能ブロック図である。記録媒体５１は、半導体記憶部５３、接触部５５及び磁気記憶部５７を備える。接触部５５は、所定の情報を入力し、半導体記憶部５３に出力する。また、半導体記憶部５３に記憶されている所定の情報を出力する。例えば、接触部５５は、記録部１１４に設けられた情報を入出力する端子と、電気的に接触する端子であってよい。半導体記憶部５３は、所定の情報を記憶する。半導体記憶部５３は、不揮発性メモリであってよい。磁気記憶部５７は、所定の情報を磁気により記憶する。例えば、記録部１１４は、画像情報を磁気記憶部５７に記憶させ、画像に対応付けられた付加情報を半導体記憶部５３に記憶させてもよい。記録媒体５１は、磁気記憶部５７と半導体記憶部５３を有するので、管理がしやすい。また、半導体記憶部５３は付加情報を保持するので、磁気記憶部５７にどのような画像情報が記憶されているかを短時間にわかる。
【００６８】
第８の変更例として、関連情報付加部１１２は、ネットワークを介して制御できる家電製品を制御する信号を画像情報に対応付けてもよい。家電製品を制御する信号を対応付けることで、番組に臨場感を持たすことができる。例えば、証明を制御する信号を付加することで、ホラー番組などにおいて照明を暗くし恐怖感を出すことができる。また、エアコンを制御し温度を下げることで、恐怖感を出すことができる。また、料理番組などにおいては、人工的ににおいを発生させる装置を制御する信号を画像情報に対応付けて、料理中のにおいを利用者に提供することもできる。ネットワークを介して制御できる家電製品は、ネットワークに接続し情報を入力する入力部と、入力部に入力された制御信号に基づいて該家電製品の機能を制御する制御部とを備える。
【図面の簡単な説明】
【００６９】
【図１】放送システム５００の一実施形態における機能ブロック図である。
【図２】複数の被写体１０と撮影装置１００の機能ブロック図の一例である。
【図３】撮影装置１００の機能ブロック図と情報発信装置２００の一例である。
【図４】対応付部１１０における、画像情報と特定情報１１とを対応付ける処理を示す。
【図５】基本情報付加部１１２の機能ブロック図の一例である。
【図６】基本情報データベース１１８のデータ構造の一例である。
【図７】情報付加部１５０の機能ブロック図の一例である。
【図８】広告データベース１６２のデータ構造の一例である。
【図９】図３を用いて説明した情報発信装置２００の一実施形態における機能ブロック図である。
【図１０】処理装置３００の一実施形態における機能ブロック図である。
【図１１】文字情報解析部３０６の一実施形態におけるブロック図である。
【図１２】格納部３１８に格納されている情報に基づいて、表示部３１２に表示させた画面の一例である。
【図１３】撮影装置４００の一実施形態における機能ブロック図と、被写体に備えられる情報発信装置２５０である。
【図１４】記録媒体の一実施形態における機能ブロック図である。
【符号の説明】
【００７０】
１０  被写体
１１  特定情報
１２  被写体関連情報
１４  送信部
１６  受信部
１８  サーバ
２０  放送信号
２２  インターネット
１００  撮影装置
１０２  特定情報受信部
１０４  撮影部
１０６  撮影範囲検出部
１０８  発信要求信号送信部
１１０  対応付部
１１２  関連情報付加部
１１４  記録部
１１５  出力部
１１６  関連情報付加部
１１８  基本情報データベース
１２０  画像情報
１２２  関連情報
１３０  位置検出部
１３２  被写体情報検出部
１５０  情報付加部
１５２  詳細情報付加部
１５４  番組情報データベース
１５６  詳細情報データベース
１５８  容量検出部
１６０  広告付加部
１６２  広告データベース
２００  情報発信装置
２０２  発信要求信号受信部
２０４  送信情報選択部
２０６  特定情報送信部
２０８  特定情報格納部
３００  処理装置
３０４  情報分離部
３０６  文字情報解析部
３０８  映像解析部
３１０  表示制御部
３１２  表示部
３１４  入力部
３１６  一時保存部
３１８  格納部
３２０  文字検出部
３２２  判定部
３２４  処理部
３２６  指示情報格納部
【図１】
2008199685.tif 000003
【図２】
2008199685.tif 000004
【図３】
2008199685.tif 000005
【図４】
2008199685.tif 000006
【図５】
2008199685.tif 000007
【図６】
2008199685.tif 000008
【図７】
2008199685.tif 000009
【図８】
2008199685.tif 000010
【図９】
2008199685.tif 000011
【図１０】
2008199685.tif 000012
【図１１】
2008199685.tif 000013
【図１２】
2008199685.tif 000014
【図１３】
2008199685.tif 000015
【図１４】
2008199685.tif 000016